(57)【要約】【課題】電線とコネクタ本体との隙間を塞ぐことにより、各種の不正行為を防止することができる遊技機用コネクタを提供する。【解決手段】遊技機用コネクタは、一列に並ぶよう配置される複数の電線の各端部を収容する複数の電線挿通孔１４３が形成される雄コネクタ１４０と、各電線の側面に適合する複数の凹面１２５を備え、複数の電線の列に対して一方側に配置されるともに、いずれかの  電線挿通孔１４３に電線とともに嵌め入れられる爪１２４が少なくとも１つ形成される前側カバー部材１２０と、各電線の側面に適合する複数の凹面１３５を備え、前側カバー部材１２０との間に複数の電線を挟むよう、複数の電線の列に対して前側カバー部材１２０とは反対側に配置される後側カバー部材１３０であって、いずれかの電線挿通孔１４３に電線とともに嵌め入れられる爪１３４が少なくとも１つ形成される後側カバー部材１３０と、を備える。【選択図】図２
2010201039.tif 000002
【特許請求の範囲】
【請求項１】
一列に並ぶよう配置される複数の電線の各端部を収容する複数の孔が形成されるコネクタ本体と、
前記各電線の側面に適合する複数の凹面を備え、前記複数の電線の列に対して一方側に配置されるともに、いずれかの前記孔に前記電線とともに嵌め入れられる第１嵌入部が少なくとも１つ形成される第１側方カバー部材と、
前記各電線の側面に適合する複数の凹面を備え、前記第１側方カバー部材との間に前記複数の電線を挟むよう、前記複数の電線の列に対して前記第１側方カバー部材とは反対側に配置される第２側方カバー部材であって、いずれかの前記孔に前記電線とともに嵌め入れられる第２嵌入部が少なくとも１つ形成される第２側方カバー部材と、
を備えることを特徴とする遊技機用コネクタ。
【請求項２】
請求項１に記載の遊技機用コネクタにおいて、
前記第１嵌入部又は前記第２嵌入部は、前記複数の電線のうち少なくとも１つの電線のリテーナとして形成される、
ことを特徴とする遊技機用コネクタ。
【請求項３】
請求項１又は２に記載の遊技機用コネクタにおいて、
前記第１側方カバー部材は、前記複数の電線の間に進入する延長部を少なくとも１つ備え、前記第２側方カバー部材は、前記第１側方カバー部材の前記延長部を前記コネクタ本体とは反対側から覆う、
ことを特徴とする遊技機用コネクタ。
【請求項４】
請求項１に記載の遊技機用コネクタにおいて、
前記第２側方カバー部材は、前記コネクタ本体側に延びて該コネクタ本体に係合する係合片を備える、
ことを特徴とする遊技機用コネクタ。
【発明の詳細な説明】
【技術分野】
【０００１】
本発明は遊技機用コネクタに関し、特にパチンコマシンやスロットマシン等の遊技機に用いられる電線接続用の遊技機用コネクタに関する。
【背景技術】
【０００２】
パチンコマシンやスロットマシン等の遊技機には、遊技機の動作を制御するための制御基板が内部に設けられており、同制御基板は入賞装置等の各種の制御対象機器と電気的に接続されている。この接続を実現するために、制御対象機器から延びる電線の先端には遊技機用の電線コネクタが設けられ、該コネクタが制御基板に取り付けられる（下記特許文献１参照）。
【先行技術文献】
【特許文献】
【０００３】
【特許文献１】特開２００７−２６７８９５号公報（図３）
【発明の概要】
【発明が解決しようとする課題】
【０００４】
ところで、パチンコマシンやスロットマシン等の遊技機は、入賞装置を故意に誤作動させる不正行為の標的とされ易く、遊技機各部には、こうした不正を防止する措置が求められる。遊技機用コネクタについても、電線とコネクタ本体との隙間に針金等のプローブを差し込み、電線同士を短絡させたり、或いは電線を流れる信号を検出したり、といった各種の不正行為を効果的に防止するように構成するのが望ましい。
【０００５】
本発明は上記課題に鑑みてなされたものであって、その目的は、電線とコネクタ本体との隙間を塞ぐことにより、各種の不正行為を防止することができる遊技機用コネクタを提供することにある。
【課題を解決するための手段】
【０００６】
上記課題を解決するために、本発明に係る遊技機用コネクタは、一列に並ぶよう配置される複数の電線の各端部を収容する複数の孔が形成されるコネクタ本体と、前記各電線の側面に適合する複数の凹面を備え、前記複数の電線の列に対して一方側に配置されるともに、いずれかの前記孔に前記電線とともに嵌め入れられる第１嵌入部が少なくとも１つ形成される第１側方カバー部材と、前記各電線の側面に適合する複数の凹面を備え、前記第１側方カバー部材との間に前記複数の電線を挟むよう、前記複数の電線の列に対して前記第１側方カバー部材とは反対側に配置される第２側方カバー部材であって、いずれかの前記孔に前記電線とともに嵌め入れられる第２嵌入部が少なくとも１つ形成される第２側方カバー部材と、を備える。
【０００７】
前記第１嵌入部又は前記第２嵌入部は、前記複数の電線のうち少なくとも１つの電線のリテーナとして形成されてよい。また、前記第１側方カバー部材は、前記複数の電線の間に進入する延長部を少なくとも１つ備えてよい。さらに、前記第２側方カバー部材は、前記第１側方カバー部材の前記延長部を前記コネクタ本体とは反対側から覆ってよい。この場合、前記第２側方カバー部材は、前記コネクタ本体側に延びて該コネクタ本体に係合する係合片を備えてもよい。
【図面の簡単な説明】
【０００８】
【図１】本発明の実施形態に係る遊技機用コネクタの側面図である。
【図２】前側カバー部材、後側カバー部材及び雄コネクタを示す斜視図である。
【図３】図１におけるＩＩＩ−ＩＩＩ線断面図である。
【図４】図３におけるＩＶ−ＩＶ線断面図である。
【図５】前側カバー部材及び後側カバー部材が取り付けられた雄コネクタを示す上面図である。
【図６】図３におけるＶＩ−ＶＩ線断面図である。
【発明を実施するための形態】
【０００９】
以下、本発明の実施形態について図面に基づき詳細に説明する。
【００１０】
図１は、本実施形態に係る遊技機用コネクタの側面図であり、図２は遊技機用コネクタを構成する側方カバーである前側カバー部材１２０、側方カバーである後側カバー部材１３０及び雄コネクタ１４０を示す斜視図である。また、図３は、図１におけるＩＩＩ−ＩＩＩ線断面図であり、図４は、図３におけるＩＶ−ＩＶ線断面図である。さらに、図５は、前側カバー部材１２０及び後側カバー部材１３０が取り付けられた雄コネクタ１４０を示す上面図であり、図６は、図３におけるＶＩ−ＶＩ線断面図である。本遊技機用コネクタは左右対称な形状を有しており、ここでは右側のみを図示する。
【００１１】
図１に示すように、本実施形態に係る遊技機用コネクタは、上向きに開口する概略箱状に形成された樹脂製の雌コネクタ１００と、雌コネクタ１００の凹部内に収容される樹脂製の雄コネクタ１４０と、を備えている。雄コネクタ１４０の上面には、左右方向に延伸する前側カバー部材１２０及び後側カバー部材１３０が、この順で前面側から背面側に並ぶよう取り付けられており、雄コネクタ１４０の上面がこれら２つの部材により覆われている。前側カバー部材１２０及び後側カバー部材１３０はいずれも樹脂により形成されている。前側カバー部材１２０及び後側カバー部材１３０の合わせ目には、複数の電線孔１６０（図５参照）が一列に並ぶようになっており、遊技機内に設けられる入賞装置などの制御対象機器と制御基板とを接続するための電線１５０は、これらの電線孔１６０を通って雄コネクタ１４０の内部に延び、各電線１５０の周囲は前側カバー部材１２０及び後側カバー部材１３０により囲まれる。
【００１２】
図２に示すように雄コネクタ１４０の上面にはそれぞれ電線１５０が挿通される複数の電線挿通孔１４３が等間隔に一列に並んで形成されている。各電線挿通孔１４３の前面側には断面横長の角孔部１４３ａが形成されている。
【００１３】
図６に示すように、雄コネクタ１４０の前面には該前面の下部に片持ち状に支持され、そこから上方に向けて延びる係合片１３９が形成されており、係合片１３９の上部をつまむことにより、該係合片１３９は雄コネクタ１４０の背面側に弾性変形する。図１、図３及び図６に示すように、雌コネクタ１００は雄コネクタ１４０を収容する凹部を備えており、前壁には係合孔１０２が形成されている。雄コネクタ１４０が雌コネクタ１００の凹部に挿入されると、雄コネクタ１４０の係合片１３９の前面に形成される係合爪１４７が係合孔１０２の上縁に引っかかり、係合片１３９の上部をつままない限り、雄コネクタ１４０は雌コネクタ１００から外れないようになっている（図６参照）。
【００１４】
雌コネクタ１００の底壁には電線１５０と同数の金属製棒状の基板接続端子１０１が立設されている。基板接続端子の下端は底壁を貫通して、底壁の裏面側に位置しており、制御基板１１０に設けられた孔に挿入される。そうして、制御基板１１０に対してはんだにより電気的に接続される。一方、基板接続端子１０１の上端は、電線１５０の下端に取り付けられるギボシ端子１５１と接続される。
【００１５】
次に、図２に示すように、後側カバー部材１３０は雄コネクタ１４０の上面後側に配置されて左右方向に延びる基部１３０ａを備えており、基部１３０ａの両端からは下方に向けて概略角柱状のブロック１３１が延びている。雄コネクタ１４０に取り付けた状態では、ブロック１３１は雄コネクタ１４０の側面に沿うようにして位置する。基部１３０ａの前側面には、一列に整列した複数の電線１５０の各側面に適合するよう、半円筒面状の凹面１３５が電線１５０と同数だけ並んで形成されている。これにより、後側カバー部材１３０を雄コネクタ１４０に取り付けると、電線１５０の後面側が基部１３０ａにより塞がれることになる。各凹面１３５における最深部の下端には嵌入部である爪１３４が下方に延びるように形成されており、この爪１３４は電線１５０の後側に位置して該電線１５０とともに電線挿通孔１４３に挿入される。また、後側カバー部材１３０における各凹面１３５の継ぎ目部分の下側には前方に迫り出し、電線１５０の間に進入する延長部１３３が形成されている。
【００１６】
一方、図２に示すように、前側カバー部材１２０は雄コネクタ１４０の上面前側に配置されて左右方向に延びる基部１２０ａを備えており、基部１２０ａの両端からは下方に向けて係合片１２１が延びている。係合片１２１は基部１２０ａの端に片持ち状に支持されて弾性変形可能であり、先端には基部１２０ａの幅方向に延びる係合爪１２２が設けられ、全体としてＬ字状に形成されている。前側カバー部材１２０を雄コネクタ１４０に取り付ける際には、係合爪１２２は雄コネクタ１４０の側面に設けられた突起１４１に引っ掛かるようになっている。
【００１７】
基部１２０ａの後側面には一列に整列した電線１５０の各側面に適合するよう、それら電線１５０と同数の半円筒面状の凹面１２５が形成されている。これにより、前側カバー部材１２０を雄コネクタ１４０に取り付けると、電線１５０の前面側が基部１２０ａにより塞がれることになる。各凹面１２５における最深部の下端には嵌入部である爪１２４が下方に延びるように形成されており、この爪１２４は電線１５０の前側に位置して電線挿通孔１４３の角孔部１４３ａに嵌入される。図６に示すように、各電線１５０の先端には基板接続端子１０１との確実な電気的接続を実現するためにギボシ端子１５１が取り付けられており、爪１２４の先端はギボシ端子１５１の上縁に当接している。すなわち前側カバー部材１２０の爪１２４は電線１５０のリテーナとしての機能を担っており、これにより、電線１５０が容易に引き抜けないようになっている。なお、爪１２４は必ずしもギボシ端子１５１の上縁に当接する必要はない。また、後側カバー部材１３０の嵌入部である爪１３４の先端がギボシ端子１５１の上縁に当接するようにしてもよい。
【００１８】
雄コネクタ１４０の上面に後側カバー部材１３０を取り付け、さらに前側カバー部材１２０を取り付けると、前側カバー部材１２０の凹面１２５と後側カバー部材１３０の凹面１３５とが互いに向き合って電線孔１６０を構成する。こうして、電線１５０の全面側及び背面側が隙間無く塞がれる。前側カバー部材１２０における凹面１２５の継ぎ目部分の下には、上述した後側カバー部材１３０の延長部１３３が位置する。こうして、前側カバー部材１２０の凹面１２５の継ぎ目部分と後側カバー部材１３０の凹面１３５の継ぎ目部分との間に差し込まれたプローブ等の金属が雄コネクタ１４０の電線挿通孔１４３に至るのを阻止するようになっている。また、前側カバー部材１２０を取り外さない限り、後側カバー部材１３０が雄コネクタ１４０から容易に外れないようにしている。
【００１９】
また、後側カバー部材１３０のブロック１３１の上側に前側カバー部材１２０の基部１２０ａの左右両端が位置しており、これによっても、後側カバー部材１３０が雄コネクタ１４０から容易に外れないようにしている。さらに、ブロック１３１の上面には突起１３２が形成されており、一方、前側カバー部材１２０の基部１２０ａの下面にも該突起１３２に係合する爪１２３が形成されている。そして、突起１３２に爪１２３が引っかかることにより、前側カバー部材１２０が前方に移動しないように、また後側カバー部材１３０が後方に移動しないようにしている。
【００２０】
以上説明した遊技機用コネクタによると、電線１５０の周囲が前側カバー部材１２０及び後側カバー部材１３０により囲まれる。このとき、前側カバー部材１２０の爪１２４及び後側カバー部材１３０の爪１３４が電線１５０とともに電線挿通孔１４３に嵌め入れられるので、前側カバー部材１２０が前方に、後側カバー部材１３０が後方に、それぞれ撓んで電線１５０の周囲に隙間ができることを防止できる。こうして、電線１５０の周囲を確実に覆ってプローブなどの金属を電線挿通孔１４３に差し込むことを防止している。
【符号の説明】
【００２１】
１００  雌コネクタ、１０１  基板接続端子、１０２  係合孔、１１０  制御基板、１２０  前側カバー部材、１２０ａ，１３０ａ  基部、１２１  係合片、１２２  係合爪、１２３，１２４，１３４  爪、１２５，１３５  凹面、１３１  ブロック、１３２  突起、１３３  延長部、１３９  係合片、１４０  雄コネクタ、１４２  突起、１４３  電線挿通孔、１４３ａ  角孔部、１５１  ギボシ端子、１６０  電線孔。
【図１】
2010201039.tif 000003
【図２】
2010201039.tif 000004
【図３】
2010201039.tif 000005
【図４】
2010201039.tif 000006
【図５】
2010201039.tif 000007
【図６】
2010201039.tif 000008